(57)【要約】【課題】移動可能なカラオケ装置において新たな楽しみ方を提供する。【解決手段】本発明に係るカラオケ装置は、カラオケ装置の位置を示す位置情報を取得する位置情報取得処理と、指定された楽曲に対応する演奏情報に基づいて演奏を行う演奏処理と、マイクロホンから入力される歌唱音声と、指定された楽曲に対応する基準情報を対比して歌唱音声を評価する歌唱評価処理と、歌唱評価処理の評価結果が獲得基準を満たした場合、位置情報取得処理で取得した位置情報に対応するアイテムを付与するアイテム獲得処理と、を実行する制御部を有することを特徴とする。【選択図】図１０
2014191141.tif 000002
【特許請求の範囲】
【請求項１】
カラオケ装置の位置を示す位置情報を取得する位置情報取得処理と、
指定された楽曲に対応する演奏情報に基づいて演奏を行う演奏処理と、
マイクロホンから入力される歌唱音声と、指定された前記楽曲に対応する基準情報を対比して歌唱音声を評価する歌唱評価処理と、
前記歌唱評価処理の評価結果が獲得基準を満たした場合、前記位置情報取得処理で取得した位置情報に対応するアイテムを付与するアイテム獲得処理と、を実行する制御部を有することを特徴とする
カラオケ装置。
【請求項２】
前記アイテム獲得処理は、取得した位置情報に対応した楽曲に対応して行われることを特徴とする
請求項１に記載のカラオケ装置。
【請求項３】
前記歌唱評価処理における評価基準、もしくは、前記アイテム獲得処理における獲得基準は、位置情報取得処理で取得した現在の位置情報に基づいて変更されることを特徴とする
請求項１または請求項２に記載のカラオケ装置。
【請求項４】
前記歌唱評価処理における評価基準、もしくは、前記アイテム獲得処理における獲得基準は、位置情報取得処理で取得した位置情報の履歴に基づいて変更されることを特徴とする
請求項１または請求項２に記載のカラオケ装置。
【請求項５】
評価基準もしくは獲得基準は、第１の位置から位置情報取得処理で取得した第２の位置情報までの距離に基づいて変更されることを特徴とする
請求項３に記載のカラオケ装置。
【請求項６】
情報端末の位置を示す位置情報を取得する位置情報取得処理と、
指定された楽曲に対応する演奏情報に基づいて演奏を行う演奏処理と、
マイクロホンから入力される歌唱音声と、指定された前記楽曲に対応する基準情報を対比して歌唱音声を評価する歌唱評価処理と、
前記歌唱評価処理の評価結果が獲得基準を満たした場合、前記位置情報取得処理で取得した位置情報に対応するアイテムを付与するアイテム獲得処理と、を情報端末に実行させることを特徴とする
情報端末用プログラム。
【発明の詳細な説明】
【技術分野】
【０００１】
本発明は、車載型カラオケ装置、カラオケ機能を備えたカラオケ装置、並びに、各種情報端末にインストールすることでカラオケ機能を付加することのできる情報端末用プログラムに関するものである。
【背景技術】
【０００２】
従来、演奏に合わせて歌唱を楽しむカラオケは、カラオケボックスやスナックなどのナイト店のみならず、車両やバスなど移動手段内においても楽しむことが知られている。特許文献１には、このような車内で楽しむことのできる車載用カラオケ装置が開示されている。この車載用カラオケ装置では、ナビゲーション音声が生じた場合、カラオケ演奏を一時停止させることで、ナビ機能とカラオケ機能が干渉することを抑制している。
【先行技術文献】
【特許文献】
【０００３】
【特許文献１】特開２００６−１７８３１１号公報
【発明の概要】
【発明が解決しようとする課題】
【０００４】
このような移動手段内で行われるカラオケにおける付加機能は、通常のカラオケボックスやナイト店に設置される固定型のカラオケ装置と同様、歌唱採点機能などに留まるものであり、移動手段内に設置されるという状況を利用した付加機能は提案されていない。本発明は、このような車内など移動手段内に設置されるカラオケ装置、あるいは、プログラムをインストールすることでカラオケ装置として利用可能なスマートホンなどの情報端末などにて利用可能な新たな付加機能を提案するものである。
【課題を解決するための手段】
【０００５】
そのため本発明に係るカラオケ装置は以下の構成を採用することを特徴としている。
カラオケ装置の位置を示す位置情報を取得する位置情報取得処理と、
指定された楽曲に対応する演奏情報に基づいて演奏を行う演奏処理と、
マイクロホンから入力される歌唱音声と、指定された前記楽曲に対応する基準情報を対比して歌唱音声を評価する歌唱評価処理と、
前記歌唱評価処理の評価結果が獲得基準を満たした場合、前記位置情報取得処理で取得した位置情報に対応するアイテムを付与するアイテム獲得処理と、を実行する制御部を有することを特徴とする。
【０００６】
さらに本発明に係るカラオケ装置において、
前記アイテム獲得処理は、取得した位置情報に対応した楽曲に対応して行われることを特徴とする。
【０００７】
さらに本発明に係るカラオケ装置において、
前記歌唱評価処理における評価基準、もしくは、前記アイテム獲得処理における獲得基準は、位置情報取得処理で取得した現在の位置情報に基づいて変更されることを特徴とする。
【０００８】
さらに本発明に係るカラオケ装置において、
前記歌唱評価処理における評価基準、もしくは、前記アイテム獲得処理における獲得基準は、位置情報取得処理で取得した位置情報の履歴に基づいて変更されることを特徴とす
る。
【０００９】
さらに本発明にかかるカラオケ装置において、
評価基準もしくは獲得基準は、第１の位置から位置情報取得処理で取得した第２の位置情報までの距離に基づいて変更されることを特徴とする。
【００１０】
また本発明に係る情報端末用プログラムは、
情報端末の位置を示す位置情報を取得する位置情報取得処理と、
指定された楽曲に対応する演奏情報に基づいて演奏を行う演奏処理と、
マイクロホンから入力される歌唱音声と、指定された前記楽曲に対応する基準情報を対比して歌唱音声を評価する歌唱評価処理と、
前記歌唱評価処理の評価結果が獲得基準を満たした場合、前記位置情報取得処理で取得した位置情報に対応するアイテムを付与するアイテム獲得処理と、を情報端末に実行させることを特徴とする。
【発明の効果】
【００１１】
本発明のカラオケ装置によれば、取得した位置情報と歌唱評価処理に基づいて、ユーザにアイテムを付与する新たなカラオケの楽しみ方を提供することが可能となる。
【図面の簡単な説明】
【００１２】
【図１】本発明の実施形態に係るカラオケシステムを示す図
【図２】本発明の実施形態に係るユーザ情報を示す図
【図３】本発明の実施形態に係るユーザ情報の送受信の様子を示す図
【図４】本発明の実施形態に係るユーザトップ画面を示す図
【図５】本発明の実施形態に係る予約確認画面を示す図
【図６】本発明の実施形態に係るメイン処理を示すフロー図
【図７】本発明の実施形態に係るアイテム提示画面を示す図
【図８】本発明の実施形態に係る期間別アイテムを説明するための図
【図９】本発明の実施形態に係るアイテム付与画面を示す図
【図１０】本発明の実施形態に係る獲得アイテム一覧画面を示す図
【図１１】本発明の実施形態に係る楽曲Ａに対する基準変更エリアを説明する図
【図１２】本発明の実施形態に係る自宅からの距離に基づいた基準変更を説明する図
【図１３】本発明の実施形態に係る基準変更エリアを説明するための図
【発明を実施するための形態】
【００１３】
では、本発明に係るカラオケ装置、並びに、情報端末用プログラムについて図を用いて説明する。図１は、本発明の実施形態に係る情報端末の構成を示す図である。この情報端末としては、スマートフォン、タブレット端末、パーソナルコンピュータ、ナビゲーションシステムなどを採用することが可能である。この情報端末に、本発明に係る情報端末用プログラムがインストールされることでカラオケ装置として機能することとなる。
【００１４】
本実施形態の情報端末１は、ＣＰＵ１１、ＲＡＭ１２、記憶部１３、画像処理部１４、音処理部１６を含んで構成された制御手段を有している。記憶部１３は、ハードディスク、ＳＳＤといった不揮発性の記憶手段である。この記憶部１３には、本実施形態の情報端末用プログラム、そして、情報端末用プログラムで使用する各種データが記憶される。
【００１５】
ＣＰＵ１１は、情報端末１全体を統括して制御する手段であり、記憶部１３に記憶されたプログラム、データに基づいて各種制御を実行する。ＲＡＭ１２には、ＣＰＵ１１の制御によって生成されたデータを一時的に格納する。
【００１６】
音処理部１６は、ＣＰＵ１１の制御によりスピーカ１７に放音させる手段である。カラオケの楽曲演奏時、音処理部１６は、指定された演奏情報に基づいて演奏処理を行うことを可能としている。また、音処理部１６は、マイクロホン１８と接続され、マイクロホン１８から取り込まれた歌唱音声を、スピーカ１７に放音させることを可能としている。また、演奏処理と同期して、歌唱音声の優劣を評価する評価処理（採点処理）を可能としている。この評価処理では、マイクロホン１８から入力される歌唱音声を、演奏される楽曲に対応した評価基準と比較することで、採点情報を算出するなど歌唱音声の優劣を算出する。
【００１７】
タッチパネル表示手段２３は、画像を表示する表示部２３ｂとその表面あるいは裏面に配設されるタッチパネル２３ａを有して構成されている。タッチパネル２３ａは、静電容量方式などユーザのタッチ位置を認識可能とする各種タイプを採用することが可能である。ＣＰＵ１１は、表示部２３ｂに表示を行うとともに、タッチパネル２３ａからのタッチ入力にて、表示させている画像中のどの部分にタッチ入力されたかを判定することが可能である。
【００１８】
画像処理部１４は、情報端末１の画像関係の入出力を行う手段である。画像処理部１４は、ＣＰＵ１１で形成された画像を表示部２３ｂに表示出力する。カラオケの楽曲演奏時には、演奏される楽曲に対応した歌詞を表示部２３ｂに表示することで、歌唱の補助を行う。また、画像処理部１４は、カメラ１５から画像を取り込む機能を有する。
【００１９】
通信部１９は、携帯無線網や、無線ＬＡＮなどよる無線通信を行うことが可能であり、アクセスポイントと無線通信することで、情報端末１をインターネットに加入させることが可能である。情報端末１はインターネット上のサーバから携帯端末用プログラムを含む各種プログラムをダウンロードすることが可能である。なお、携帯端末用プログラムは、通信回線を利用した形態以外に、外部メモリ（図示せず）からインストールすることとしてもよい。
【００２０】
本実施形態の情報端末１は、入力手段としてタッチパネル２３ａ以外に入力スイッチ２０を備えて構成されている。この入力スイッチ２０には、電源スイッチ、音量調整スイッチ、プログラムに応じて入力用途が変更されるスイッチなど、各種スイッチを設けることが可能である。
【００２１】
さらに本実施形態の情報端末１は、その位置情報を取得するためＧＰＳ受信部２２を備えている。このＧＰＳ受信部２２（位置情報受信部）は、衛星からの信号を受信可能なアンテナを含み、衛星からの信号に基づいて、携帯端末１の位置を取得することを可能としている。携帯情報端末１をナビゲーションシステムとして使用する場合、このＧＰＳ受信部２２で取得した位置情報に基づいて、情報端末１の位置を地図上に表示することとしている。情報端末１は、ＧＰＳ受信部２２で取得した現在の位置情報の他、それまでに取得した位置情報を履歴として管理することも可能としている。
【００２２】
では、本発明の実施形態に係る情報端末用プログラムの処理について説明する。本実施形態の情報端末用プログラムは、図１で説明した情報端末１にインストールすることで情報端末１をカラオケ装置として使用することを可能としている。特に、本実施形態では、図１に示すＧＰＳ受信部２２で取得した位置情報に基づいて、カラオケの新たな楽しみ方を提供することとしている。
【００２３】
本実施形態のカラオケ装置は、ユーザが情報端末１のタッチパネル表示画面から必要な情報（後述するユーザ識別情報やパスワード）を入力し、ログインして利用することが可能となっている。ログインして利用することでユーザに特化した各種サービスを提供する
ことが可能となる。このような各種サービスを提供するため、各ユーザ毎のユーザ情報をカラオケ用サーバにて記憶管理している。
【００２４】
図２は、各ユーザ毎に、カラオケ用ホストに記憶されているユーザ情報を説明するための図である。本実施形態では、ユーザ情報として、個人情報、マイうたテーブル、履歴テーブル、獲得アイテムテーブルといった、ユーザに関する各種情報を含んで構成される。ユーザ情報は、カラオケ用ホストの記憶部に予め記憶されている。また、ユーザ情報には、ユーザが情報端末１からカラオケ用ホストへログインしてこれら情報を利用するためのユーザ識別情報、パスワードが対応付けられている。個人情報には、ユーザ名（実際の名前に限ったものでなく、ニックネームであってもよい）、性別、年齢、うた年齢、自宅住所などを含んで構成される。これら各種情報は、情報端末１から設定することも可能であるが、インターネットなどのネットワークに接続された他のパーソナルコンピュータ、情報端末１からログインして設定することも可能である。
【００２５】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。このマイうたテーブルの考え方をアーティスト（歌手）に適用したマイアーティストテーブルを設けることとしてもよい。ユーザは、マイアーティストテーブルに基づいて、登録したお気に入りのアーティストの楽曲（持ち歌、あるいは、関連楽曲）を呼び出して予約、演奏することが可能となる。
【００２６】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００２７】
さらに本実施形態では、歌唱評価処理に基づいて獲得したアイテムを管理する獲得アイテムテーブルが設けられている。本実施形態では、アイコン、アバターといったデジタルコンテンツをアイテムとして採用している。この獲得アイテムテーブルには、個々のアイテムを示すアイテム識別情報（アイテムＩＤ）、アイテムを獲得した日時、アイテムを獲得した獲得位置（ＧＰＳ受信部２２の位置情報）、アイテムを獲得したときの採点情報（評価情報）を含んで構成されている。このように獲得したいアイテムを獲得アイテムテーブルで管理することで、ユーザはこれまでに獲得したアイテムを一覧表示させることが可能となる。なお、本実施形態で歌唱評価処理に基づいて付与するアイテムをデジタルコンテンツとしているが、アイテムはデジタルコンテンツに限られるものではなく、有体の景品を採用することとしてもよい。その場合、アイテムとしての景品は、郵送手段などを利用して手渡される。
【００２８】
図３は、このユーザ情報の送受信の様子を示した図である。情報端末１を利用するユーザは、自己のユーザ識別情報とパスワードで構成された識別情報を入力することで認証処理Ｓ１０１を実行する。ユーザの識別情報を読み取った、情報端末１は、ユーザ識別情報をカラオケ用ホストに送信し（Ｓ１０２）、ユーザ識別情報を受信したカラオケ用ホスト５は記憶部５１に記憶されたデータベースから、該当するユーザのユーザ情報を抽出し（Ｓ１２１）、問い合わせのあった情報端末１に対して送信する（Ｓ１２２）。
【００２９】
ユーザ情報を受信した情報端末１側では（Ｓ１０３）、その表示部２３ｂにログインし
たユーザのユーザトップ画面を表示させる。図４には、本発明の実施形態に係るユーザトップ画面が示されている。この画面に示されるように、ログインユーザ欄１０３にログインしたユーザの分身像１０３（本実施形態では顔部分）が表示される。図に示すユーザトップ画面では、「曲を探す」を選択することで、従来のカラオケの歌本と同様、歌手名、楽曲名に基づく検索を行うことができる。さらに本実施形態では、このユーザトップ画面に表示される「アイテムチャレンジ」を選択することで、位置情報を利用した歌唱評価処理を行うことが可能となっている。
【００３０】
ユーザによりログアウトが要求される（Ｓ１０５）とサービス処理を中断し、サービス処理中における各種履歴（ログ）、あるいは、ユーザによる設定変更を反映したユーザ情報をカラオケ用ホストに送信する（Ｓ１０６）。ここで、ユーザ情報は、全ての情報を送信することの他、更新された差分だけを送信してもよい。ユーザ情報を受信したカラオケ用ホストでは（Ｓ１２３）、受信したユーザ情報に基づいて記憶部１に記憶されたデータベースの更新を実行する（Ｓ１２４）。
【００３１】
以上、ユーザが認証処理（ログイン処理）してから、ログアウトするまでの流れを説明したが、本実施形態のカラオケ装置としての情報端末１は、カラオケ用ホストにて記憶管理することでユーザに特化した各種サービスを提供することを可能としている。
【００３２】
ユーザが楽曲を選択した場合、図５に示される楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。キー設定右下の「変更」ボタンを操作することで、音程設定用の画面が表示され音程調整値を設定することができる。
【００３３】
この楽曲確認画面にて「予約」ボタンが操作されると、楽曲識別情報、音程調整値、予約モード（通常の予約、アイテムチャレンジでの予約を示す情報）などを含む予約情報が形成される。この予約テーブルに順次追加して、演奏処理を実行する。なお、本実施形態では、楽曲を予約する場合、図４の「曲を探す」で予約する形態と、「アイテムチャレンジ」で予約する形態があり、両予約において、この楽曲確認画面が表示される。
【００３４】
図６には、本発明の実施形態に係るメイン処理を示すフロー図が示されている。メイン処理では、まず予約された楽曲があるか否か、予約テーブルをチェックして確認する。予約テーブル中、次に演奏すべき楽曲があると判定された場合（Ｓ２０２：Ｙｅｓ）、予約された楽曲が、図４中、「アイテムチャレンジ」メニューから予約された楽曲か否かが判定される。通常の予約である場合（Ｓ２０３：Ｎｏ）、予約情報中に含まれる楽曲識別情報に対応する楽曲情報を読み出して、音処理部１６にて演奏させるとともに、画像処理部１４にて歌詞表示させる通常演奏処理を実行する（Ｓ２１３）。
【００３５】
一方、「アイテムチャレンジ」から予約された楽曲である場合（Ｓ２０３：Ｙｅｓ）には、まず、ＧＰＳ受信部２２から現在の位置情報を取得する（Ｓ２０４）。次にＳ２０４で取得した位置情報に対応するアイテムが選択される（Ｓ２０５）。選択されたアイテムは、タッチパネル表示手段２３のアイテム提示画面に表示される。図７には、本発明の実施形態に係るアイテム提示画面が示されている。画面左には、現在位置を示す地図（青森県）が表示されており、画面右には位置情報に対応するアイテムが表示されている。本実施形態では、デジタルコンテンツとしてのリンゴのアイコンを獲得対象として表示させている。
【００３６】
獲得対象とするアイテムは、このように位置情報に応じたものとしているが、さらに、
期間や時間に応じて異ならせることとしてもよい。図８は、本発明の実施形態に係る期間別アイテムを説明するための図である。図７で説明したリンゴを獲得対象アイテムとする場合、実際のリンゴの旬の時期に合わせてその形態を変化させることとしてもよい。例えば、リンゴの全盛期である１０月は獲得対象アイテムを金のリンゴとし、その前後１ヶ月間を銀のリンゴとし、その他の期間を普通のリンゴとすることが考えられる。このような形態では、特定のアイテムを期間限定とすることで、その希少価値を持たせることが可能となる。なお、このように月別で形態を変化させる以外に、日別、時間別とすることとしてもよい。
【００３７】
「アイテムチャレンジ」では、このアイコンを獲得対象として、歌唱評価処理を実行する。歌唱評価処理における評価結果が獲得基準を超えた場合、ユーザ（Ａさん）はアイテムを獲得することが可能である。図に示す例では、歌唱評価処理において１００点中、８５点以上の評価結果（採点結果）を得た場合、このアイテムを獲得できることとしている。
【００３８】
このアイテム提示画面中、右下に表示される「演奏開始」ボタンが操作されると、この提示アイテムを獲得対象とした歌唱評価処理が実行される。まず、通常演奏処理と同様、予約情報中に含まれる楽曲識別情報に対応する楽曲情報を読み出して、音処理部１６にて演奏させるとともに、画像処理部１４にて歌詞表示させる（Ｓ２０７）。この処理と同期して評価処理（Ｓ２０８）が実行される。評価処理では、マイクロホン１８から入力される歌唱音声を、演奏される楽曲に対応した評価基準と比較することで、採点情報を算出するなど歌唱音声の優劣を算出する（Ｓ２１０）。
【００３９】
演奏終了後（Ｓ２０９：Ｙｅｓ）、判定された評価結果（Ｓ２１０）は、Ｓ２０５にて提示したアイテムに対応する獲得基準を満たすか否かが判定される（Ｓ２１１）。評価結果が獲得基準を満たした場合（Ｓ２１１：Ｙｅｓ）、図７のアイテム提示画面で提示したアイテム（この場合、リンゴ）をログインしているユーザに対して付与し、アイテム付与画面を表示する（Ｓ２１２）。図９には、本発明の実施形態に係るアイテム付与画面が示されている。評価結果についての獲得条件である８５点以上をクリアしているため、ログインユーザであるＡさんに対してアイテム（リンゴ）が付与される。付与されたアイテムは、ユーザ情報中の獲得アイテムテーブルにて管理されることとなる。
【００４０】
以上説明した演奏処理を実行することで、ユーザは位置情報に応じたアイテムを、歌唱評価処理の結果に応じて獲得することが可能である。獲得されたアイテムは、ユーザ情報中の獲得アイテムテーブルで管理されるが、ユーザは、獲得したアイテムを閲覧することが可能である。例えば、図９に示すアイテム付与画面の右下に表示される「獲得アイテム一覧」を操作することで、ユーザがこれまでに獲得したアイテムを閲覧することが可能である。図１０には、本発明の実施形態に係る獲得アイテム一覧画面が示されている。本実施形態では、日本全国各都同府県毎にアイテムが設けられ、位置情報に対応した都道府県のアイテムを獲得対象とすることが可能となっている。
【００４１】
図１０では、東北地方の獲得状況が表示されており、Ａさんは青森県のアイテム（リンゴ）を獲得しているため、青森県の欄にはアイテム（リンゴ）が表示された状態となっている。他の件については未獲得の状態となっている。ユーザは画面左側に表示されている地方切り替えスイッチを操作することで、他の地方に関する獲得状況を確認することが可能である。本実施形態ではこのように都道府県別にアイテムを設けることとしているが、アイテムの区分は、市町村別とするなど、さらに細かく設けることとしてもよい。また、１つの区分に対して複数のアイテムを設けることとしてもよい。例えば、ある区分にて第１のアイテムを獲得したことを条件として、第２のアイテムにチャレンジできる形態などが考えられる。
【００４２】
以上、本実施形態のカラオケ機能を備えた情報端末装置１では、アイテムチャレンジで選曲した楽曲（基本、演奏可能な全ての楽曲を対象）について、アイテムを提示することとしていたが、アイテム獲得のための処理は、取得した位置情報に応じた楽曲に対応して行われることとしてもよい。例えば、エリア毎に課題曲を設定しておき、取得した位置情報のエリアに対応する楽曲を、アイテム獲得のための課題曲とすることが考えられる。
【００４３】
さらに、位置情報に応じてアイテム獲得の難易度を変化させることが考えられる。アイテム獲得の難易度は、図６のフロー図中、評価処理（Ｓ２０８）における評価基準を変化させること、あるいは、Ｓ２１１の獲得基準を変化させる、少なくとも何れか一方の形態を採用することが考えられる。また、アイテム獲得の難易度を変化させる条件としては、以下に示す幾つかの事項が考えられる。
【００４４】
図１１には、本発明の実施形態に係る楽曲Ａに対する基準変更エリアを説明する図が示されている。楽曲には、場所に縁あるもの、いわゆるご当地ソングといわれるものがある。本実施形態では、楽曲に縁ある場所にてアイテムチャレンジを行った場合、アイテム獲得の難易度を下げる、すなわち、アイテムを獲得しやすくすることとしている。この場合、演奏する楽曲に対応する場所でアイテムチャレンジが行われたことを条件としている。図１１では、例えば、楽曲Ａ（例えば「津軽海峡冬景色」）について、基準変更エリアを示したものである。楽曲Ａには、津軽海峡に面したエリアが基準変更エリアとして割り当てられている。この基準変更エリア内において、楽曲Ａを使用したアイテムチャレンジが行われた場合、アイテム獲得の難易度を変化させることとしている。
【００４５】
すなわち、図６のフロー図中、演奏する楽曲の楽曲識別情報を参照するとともに、Ｓ２０４で取得した現在の位置情報が、楽曲識別情報に対応する基準変更エリア内にあるか否かを判定する。基準変更エリア内にある場合には、評価処理（Ｓ２０８）における評価基準、もしくは、獲得基準の少なくとも一方を変化させることで、アイテムを獲得しやすくさせることとしている（フロー図中、破線にて処理の関係を示す）。
【００４６】
アイテム獲得の難易度変化は、次のようにしてもよい。図１２には、本発明の実施形態に係る自宅からの距離に基づいた基準変更を説明するための図が示されている。ユーザ情報中に登録されている自宅住所、もしくは、ナビゲーションシステムに登録されている自宅住所を使用して、自宅住所から離れた位置ほど、アイテム獲得の難易度を下げることとしてもよい。図には、自宅から離れるほど、歌唱評価（採点情報）に対する獲得基準を減らすことが示されている。例えば、自宅位置から４０ｋｍ離れた場所では、獲得基準を２点減らし、１０ｋｍ離れる毎に２点減らすこととしている。したがって８０ｋｍ離れた位置では、獲得基準が１０点減算されることとなる。このような形態では、自宅から遠方に出かけたときに、出かけた先で提供されるアイテムが獲得容易となるため、遠方地でアイテムチャレンジ機能の利用率向上が図られる。
【００４７】
距離によるアイテム獲得の難易度変化は、その基準位置を自宅に代え、適宜に設定した位置（第１の位置）としてもよい。例えば、他人の車に乗車した際、個人が所有する情報端末にてこの情報端末用プログラムを起動することが考えられる。その場合、乗車した位置（第１の位置）を起点し、位置情報取得処理で取得した位置情報（第２の位置）までの距離に基づいてアイテム獲得の難易度を変化させることが考えられる。このような形態では、設定した基準位置（第１の位置）を所定期間が過ぎたこと、あるいは、基準位置に再度近づいたことを条件としてリセットすることとしてもよい。
【００４８】
アイテム獲得難易度の変化は、過去の位置情報の履歴に基づいて変化させてもよい。図１３には、本発明の実施形態に係る基準変更エリアを説明するための図が示されている。
図は、青森県を参考にとった場合であり、青森県内における観光スポットなどのエリア（エリアＡ〜Ｄ）を地図中に表示している。アイテム獲得の難易度は、これらエリアを通過、あるいは、所定時間滞在したことを条件として容易化することとしてもよい。詳細には、全てのエリアＡ〜Ｄを通過、あるいは、滞在を条件として容易化することの他、各エリアＡ〜Ｄ毎に、図１２の形態のように評価基準あるいは獲得基準から得点を差し引くことが考えられる。
【００４９】
図１３の形態では、基準変更エリアを設定することとしたが、エリアではなくルートとすることも考えられる。例えば、位置情報の履歴に基づいて、地点Ａと地点Ｂを結ぶルートを通過したことが判定された場合、アイテム獲得難易度を変化させることも考えられる。
【００５０】
以上、本発明に係るカラオケ装置（情報端末）について、各種実施形態を説明したが、本発明に係るカラオケ装置、もしくは、情報端末用プログラムによれば、位置情報を使用した新たなカラオケの楽しみ方を提供することが可能となる。
【００５１】
なお、本発明はこれらの実施形態のみに限られるものではなく、それぞれの実施形態の構成を適宜組み合わせて構成した実施形態も本発明の範疇となるものである。
【符号の説明】
【００５２】
１…情報端末、１１…ＣＰＵ、１２…ＲＡＭ、１３…記憶部、１４…画像処理部、１５カメラ、１６…音処理部、１７…スピーカ、１８…マイクロホン、１９…通信部、２０…入力スイッチ、２１…外部入力端子、２３…タッチパネル表示手段、２３ａ…タッチパネル、２３ｂ…表示部
【図１】
2014191141.tif 000003
【図２】
2014191141.tif 000004
【図３】
2014191141.tif 000005
【図４】
2014191141.tif 000006
【図５】
2014191141.tif 000007
【図６】
2014191141.tif 000008
【図７】
2014191141.tif 000009
【図８】
2014191141.tif 000010
【図９】
2014191141.tif 000011
【図１０】
2014191141.tif 000012
【図１１】
2014191141.tif 000013
【図１２】
2014191141.tif 000014
【図１３】
2014191141.tif 000015